(57)【要約】【課題】送風装置が発生する騒音による使用者が感じる不快感を軽減し得る洗面化粧台を提供する。【解決手段】洗面化粧台１は、上面に洗面ボウル部４ａが設けられた下部キャビネット２と、この下部キャビネット２の上方に配設されたミラーキャビネット３とを備える。洗面化粧台１は、更に、下部キャビネット２内に配置された送風装置２１と、ミラーキャビネット３の前面に設けられた送風口２２と、送風装置２１と送風口２２との間を送風可能に連通するダクト２３とを備える。【選択図】図２
2016043055.tif 000002
【特許請求の範囲】
【請求項１】
上面に洗面ボウル部が設けられた下部キャビネットと、この下部キャビネットの上方に配設されたミラーキャビネットとを備えた洗面化粧台であって、
前記下部キャビネット内に配置された送風装置と、
前記ミラーキャビネットの前面に設けられた送風口と、
前記送風装置と前記送風口との間を送風可能に連通するダクトとを備えたことを特徴とする洗面化粧台。
【請求項２】
前記送風装置は、前記下部キャビネット内の前記洗面ボウル部下方に収納スペースを介在して配置されており、前記下部キャビネットの前面又は側面における、前記送風装置の配置位置よりも床面に近い位置には吸気口が設けられている請求項１記載の洗面化粧台。
【請求項３】
前記送風装置の幅寸法は、前記ミラーキャビネットの奥行き寸法からミラーキャビネットの背板の厚みとミラーキャビネットのミラー扉の厚みとを差し引いた寸法よりも大きく設定されている請求項１又は２記載の洗面化粧台。
【請求項４】
前記送風装置は、脱臭フィルターを有している請求項１ないし請求項３のいずれか一つに記載の洗面化粧台。
【請求項５】
前記ミラーキャビネットは、キャビネット本体の中央部に主ミラー扉が、キャビネット本体の左右両側部にサイドミラー扉がそれぞれ開閉自在に取り付けられているとともに、前記主ミラー扉と前記サイドミラー扉との間に前記キャビネット本体の縦仕切り部が位置して設けられており、前記縦仕切り部は、前記ダクトの一部を構成するようになっており、この縦仕切り部の前端面には前記送風口が上下方向に沿って所定間隔毎に複数設けられている請求項１ないし請求項４のいずれか一つに記載の洗面化粧台。
【発明の詳細な説明】
【技術分野】
【０００１】
本発明は、洗面化粧台に関する。
【背景技術】
【０００２】
従来、洗面化粧台として、上面に洗面ボウル部が設けられた下部キャビネット（本体キャビネット又はフロアキャビネットともいう。）と、この下部キャビネットの上方に配設されたミラーキャビネットとを備えたものは知られている。
【０００３】
そして、この種の洗面化粧台においては、夏の汗ばむ季節等でも快適に化粧ができるようにするために、送風機能を備えたものも知られている。例えば特許文献１には、ミラーキャビネットを、主鏡と主鏡に隣接する隣接鏡とを備えることを前提とした上で、前記主鏡と前記隣接鏡との間に、前記主鏡の前の使用者に向かって風を吹き出すことのできる吹出口を設けることが記載されている。
【先行技術文献】
【特許文献】
【０００４】
【特許文献１】特開２００８−３６０８１号公報
【発明の概要】
【発明が解決しようとする課題】
【０００５】
ところで、特許文献１記載のものでは、送風ファンやモータ等からなる送風装置がミラーキャビネット内に設けられている。しかし、ミラーキャビネットは、化粧をする使用者に近い位置関係にあるため、送風装置が発生する騒音が使用者にとって大きなものに感じられ、不快になるという問題がある。
【０００６】
その上、ミラーキャビネットの奥行き寸法は、下部キャビネットのそれと比べて小さく、このミラーキャビネット内に設けられる送風装置の大きさも限定されることから、高速回転化に伴い送風装置が発生する騒音を低減することができないという問題もある。
【０００７】
本発明はかかる点に鑑みてなされたものであり、その課題は、洗面化粧台で送風機能を備えるに当たり、送風装置の配置位置等を適宜設定することにより、送風装置が発生する騒音による使用者が感じる不快感を軽減し得る洗面化粧台を提供することにある。
【課題を解決するための手段】
【０００８】
前記の課題を解決するため、本発明は、洗面化粧台として、上面に洗面ボウル部が設けられた下部キャビネットと、この下部キャビネットの上方に配設されたミラーキャビネットとを備えること前提とする。そして、前記下部キャビネット内に配置された送風装置と、前記ミラーキャビネットの前面に設けられた送風口と、前記送風装置と前記送風口との間を送風可能に連通するダクトとを備える構成にする。
【発明の効果】
【０００９】
本発明の洗面化粧台によれば、送風装置が下部キャビネット内に配置されているため、送風装置がミラーキャビネット内に配置される場合に比べて送風装置と使用者の位置関係が遠く離れることになる。その上、送風装置を大きく（つまり低速回転化）して送風装置が発生する騒音を軽減することができるので、送風装置が発生する騒音による使用者が感じる不快感を大幅に軽減することができる。
【図面の簡単な説明】
【００１０】
【図１】図１は本発明の第１の実施形態に係る洗面化粧台の正面図である。
【図２】図２は図１のＸ−Ｘ線における断面図である。
【図３】図３は前記洗面化粧台のミラーキャビネット上部の斜視図である。
【図４】図４Ａは送風装置の正面図、図４Ｂは同側面図である。
【図５】図５は第２の実施形態に係る洗面化粧台の縦断側面図である。
【発明を実施するための形態】
【００１１】
以下、本発明を実施するための形態である実施形態を図面に基づいて説明する。
【００１２】
図１及び図２は本発明の第１の実施形態に係る洗面化粧台１の全体構成を示す。洗面化粧台１は、背面側を室内の壁面（図示せず）に接触又は近接して床面上に設置された下部キャビネット２と、下部キャビネット２の上方に前記壁面に固定して配設されたミラーキャビネット３とを備えている。
【００１３】
下部キャビネット２の上面は、合成樹脂や陶器等からなる天板４により構成されており、天板４の中央部には洗面ボウル部４ａが下方に凹んで設けられている。天板４の後縁には上方に向けて突出する立ち上がり壁５が一体成形されており、立ち上がり壁５により、前記壁面の下部キャビネット２とミラーキャビネット３との間の部分を覆うようになっている。立ち上がり壁５には、洗面ボウル部４ａに向けて吐水する吐水部６と、吐水部６から吐水するときの切替及び水量調整のための操作部７とが設けられている。
【００１４】
下部キャビネット２の前方開口部には両開きタイプの前扉８，８が開閉自在に設けられている。下部キャビネット２の奥行き寸法は、ミラーキャビネット３のそれの数倍程度の大きさに設定されている。下部キャビネット２の内部空間は、洗面ボウル部４ａに接続される排水管（図示せず）の配置スペース並びに後述する送風装置２１及び送風ダクト２３等の配置スペースを除き、収納スペース９として利用できるようになっている。下部キャビネット２の内部空間には、その収納スペースとしての利用の便を図るために棚板１０が適宜設けられている。
【００１５】
ミラーキャビネット３は、前方に開口するキャビネット本体１１と、キャビネット本体１１の前方開口部に取り付けられた３つのミラー扉１２，１３，１４とを有している。キャビネット本体１１は、収納空間を形成する上板、下板、左右の側板及び背板（いずれも図示せず）と、収納空間を仕切る２つの縦仕切り部１５，１６及び複数の棚板（図示せず）とが合成樹脂により一体成形されてなる。尚、棚板は、高さ調整を可能にするために、別体に成形し、嵌め込み式に設けるようにしても良い。
【００１６】
前記３つのミラー扉１２〜１４のうち、キャビネット本体１１の中央部に取り付けられたミラー扉１２は、他のミラー扉１３，１４よりも大きい主ミラー扉であって、左側の縦仕切り部１５にヒンジ（図示せず）を介して開閉自在に取り付けられている。キャビネット本体１１の左右両側部に取り付けられたミラー扉１３，１４は、サイドミラー扉であって、それぞれ対応する縦仕切り部１５，１６にヒンジ（図示せず）を介して開閉自在に取り付けられている。３つのミラー扉１２〜１４は、全てが閉じた状態で１枚の大きな鏡として利用できるとともに、主ミラー扉１２が閉じ状態でかつ各サイドミラー扉１３，１４が所定角度開いた状態で三面鏡として利用できるようになっている。尚、縦仕切り部１５，１６の前端面は、図３に示すように、それぞれ両側のミラー扉１２，１３又は１２，１４よりもミラー扉の厚み分だけ凹んだ位置に位置している。
【００１７】
そして、本発明の特徴点として、洗面化粧台１は、下部キャビネット２内に配置された送風装置２１と、ミラーキャビネット３の前面であるキャビネット本体１１の各縦仕切り部１５，１６の前端面に設けられた複数の送風口２２，２２，…とを備えている。洗面化粧台１は、更に、送風装置２１と各送風口２２との間を送風可能に連通する送風ダクト２３を備えている。
【００１８】
送風装置２１は、下部キャビネット２内の左側の前扉８の後方でかつ洗面ボウル部４ａの下方に棚板１０及びその上の収納スペース９を介在して配置されている。下部キャビネット２の前面における、送風装置２１の配置位置よりも床面に近い位置である下部キャビネット２のスタンド台部２ａの前面には吸気口２４が設けられている。また、送風装置２１は、図４Ａ及び図４Ｂに示すように、複数の羽根２５ａを有する送風ファン２５と、送風ファン２５を回転駆動する電動モータ２６と、送風ファン２５及び電動モータ２６を収納保持する正面視で正方形状のケーシング２７とを備えている。
【００１９】
送風装置２１の幅寸法Ｌは、ミラーキャビネット３の奥行き寸法からミラーキャビネット３の背板の厚みとミラーキャビネット３のミラー扉１２〜１４の厚みとを差し引いた寸法よりも大きく設定されている。換言すれば、送風装置２１の幅寸法Ｌは、従来の如く送風装置がミラーキャビネット３内に配置される場合の最大の送風装置の幅寸法よりも大きく設定され、本実施形態ではその幅寸法の数倍程度の大きさに設定されている。送風装置２１は、その中心軸を上下方向に向けて配置されている。送風装置２１は、その下方である吸気口２４側に脱臭フィルター２８及び防塵フィルター２９を有しており、この両フィルター２８，２９は、送風装置２１と共に送風ダクト２３内に配置されている。
【００２０】
送風ダクト２３は、大別して、３種類４つのダクト、つまり１つずつの第１及び第２のダクト３１，３２と、２つの第３のダクト３３，３３とからなる。第１のダクト３１は、送風装置２１、脱臭フィルター２８及び防塵フィルター２９を収納することを兼ね備えたダクトであり、下部キャビネット２内に配置されている。第２のダクト３２は、下部キャビネット２の背板に沿って上下方向に延びて設けられており、第２のダクト３２の下端は、第１のダクト３１に接続されている。第２のダクト３２の上部側は、２つの分岐ダクト３２ａ，３２ｂに分岐されている。各第３のダクト３３は、それぞれミラーキャビネット３のキャビネット本体１１の各縦仕切り部１５，１６内の前端面に沿って上下方向に延びて形成されたダクトであり、各縦仕切り部１５，１６は、第３のダクト３３ひいては送風ダクト２３の一部を構成している。各第３のダクト３３の下端は、それぞれ対応する第２のダクト３２の分岐ダクト３２ａ，３２ｂに接続されている。
【００２１】
ここで、ミラーキャビネット３のキャビネット本体１１の各縦仕切り部１５，１６の前端面に設けられた複数の送風口２２，２２，…は、対応する縦仕切り部１５，１６の前端面の長手方向（上下方向）に沿って所定間隔毎に設けられている。また、各送風口２２は、対応する縦仕切り部１５，１６内の第３のダクト３３に連通されていて、第３のダクト３３内を流れる送風装置２１からの風を前方に向けて吹き出すようになっている。
【００２２】
次に、洗面化粧台１の作用・効果について説明する。送風装置２１から送風された風は、送風ダクト２３を通して、ミラーキャビネット３のキャビネット本体１１の各縦仕切り部１５，１６の前端面に設けられた複数の送風口２２，２２，…から前方に向かって吹き出される。このため、洗面化粧台１のミラーキャビネット３の前に立ってミラー扉１２〜１４の鏡を見ながら化粧等をする使用者は、夏の汗ばむ季節等でも汗をかくことなく、快適に化粧等を行うことができる。
【００２３】
しかも、送風装置２１は、下部キャビネット２内に配置されているため、特許文献１に記載の如く送風装置がミラーキャビネット内に配置される場合に比べて送風装置２１と使用者の位置関係が遠く離れることになる。その上、特許文献１に記載の場合に比べて送風装置２１の幅寸法Ｌを数倍程度にまで大きくして、送風装置２１の適切な回転、つまり低速回転により送風装置２１が発生する騒音を軽減することができるので、送風装置２１が発生する騒音によって使用者が不快に感じるのを大幅に軽減することができる。
【００２４】
特に、本実施形態の場合、送風装置２１は、下部キャビネット２内の洗面ボウル部４ａ下方に収納スペース９を介在して配置され、床面に近い位置に位置しているため、送風装置２１が発生する騒音による使用者の不快感をより軽減することができる。また、下部キャビネット２の前面における、送風装置２１の配置位置よりも床面に近い位置である下部キャビネット２のスタンド台部２ａの前面に吸気口２４が設けられているため、床面に近い位置の比較的温度の低い空気が吸気口２４から吸入されることになる。この結果、送風装置２１の作動時には、冷風が送風口２２から吹き出されることになり、快適な送風を行うことができる。
【００２５】
また、送風装置２１は、吸気口２４側に脱臭フィルター２８を有しているため、送風装置２１の作動時に送風口２２から臭い空気を吹き出すことはなく、快適な送風を確実に行うことができる。
【００２６】
さらに、送風装置２１の送風ダクト２３のうち、ミラーキャビネット３側のダクトである第３のダクト３３は、ミラーキャビネット３のキャビネット本体１１の各縦仕切り部１５，１６内の前端面に沿って上下方向に延びて形成されている。また、各縦仕切り部１５，１６の前端面の長手方向である上下方向に沿って複数の送風口２２，２２，…が所定間隔毎に設けられている。このため、送風ダクト２３によってミラーキャビネット３側の外観を損なうことはない上、ミラーキャビネット３の高さ位置に拘わらず各送風口２２から均一な空気を吹き出して快適な送風をより確実に行うことができる。
【００２７】
尚、本発明は前記第１の実施形態に限定されるものではなく、その他種々の形態を包含するものである。例えば第１の実施形態ではミラーキャビネット３のキャビネット本体１１の各縦仕切り部１５，１６の前端面に沿って複数の送風口２２，２２，…を設けるとともに、各縦仕切り部１５，１６内の前端面側に送風ダクト２３の一部である第３のダクト３３を形成した。しかし、本発明は、前記各縦仕切り部１５，１６の前端面に、送風口２２を設けるだけでなく、送風口２２と並列にＬＥＤ等からなる照明装置を設けるように構成しても良い。
【００２８】
また、本発明は、図５に示すような第２の実施形態にしても良い。すなわち、ミラーキャビネット３の上端部にミラーキャビネット３の幅方向に延びた吹き出しダクト４１を設け、吹き出しダクト４１の前端面にその長手方向（幅方向）に沿って複数の送風口４２（図では１つの送風口のみ示す。）を所定間隔毎に設ける。下部キャビネット２側に設けられるダクト４３（第１の実施形態における第２のダクト３２に相当）を、下部キャビネット２の背板、立ち上がり壁５の裏面側及びミラーキャビネット３の裏面側を通して上方にまで延ばし、吹き出しダクト４１の後端部に接続する。そして、送風装置２１（図１及び図２参照）から送風された風は、ダクト４３及び吹き出しダクト４１を通して、吹き出しダクト４１の前端面の各送風口４２から前方の斜め下方に向かって吹き出されるようになっている。
【００２９】
さらに、前記第１の実施形態では、下部キャビネット２のスタンド台部２ａの前面に吸気口２４を設けたが、本発明は、これに限らず、下部キャビネット２のスタンド台部２ａの側面に吸気口を設けても良いのは勿論である。
【符号の説明】
【００３０】
１    洗面化粧台
２    下部キャビネット
２ａ  スタンド台部
３    ミラーキャビネット
４ａ  洗面ボウル部
９    収納スペース
１１    キャビネット本体
１２    主ミラー扉（ミラー扉）
１３，１４    サイドミラー扉（ミラー扉）
１５，１６    縦仕切り部
２１    送風装置
２２    送風口
２３    送風ダクト
２４    吸気口
２８    脱臭フィルター
４１    吹き出しダクト
４２    送風口
４３    ダクト
【図１】
2016043055.tif 000003
【図２】
2016043055.tif 000004
【図３】
2016043055.tif 000005
【図４】
2016043055.tif 000006
【図５】
2016043055.tif 000007